(57)【要約】      （修正有）【課題】床との摩擦によって、ワイパーヘッドから外れることなく、部屋の、隅まで届き、洗って繰り返し使用できるフローリングワイパー用の替えクロスを提供する。【解決手段】替えクロス１は、ワイパーヘッド２ｂより一回り大きい形状を有し、一枚のパイル地からカエル折りのように折り重ねて形成することにより、外周の長辺方向に２段のひだと短辺方向に４段のひだを有し、上面にはワイパーヘッド２ｂを着脱自在に出し入れ可能な開口部ｈを有し、開口部ｈの中はワイパーヘッド２ｂより広い空洞部を有するクッション性を有している。【選択図】図１
0003216741.tif 000002
【実用新案登録請求の範囲】
【請求項１】
ワイパーヘッドの形状より一回り大きい形状を有し、一枚のパイル地からカエル折りのように折り重ねて形成することにより、外周の長辺方向に２段のひだと、外周の短辺方向に４段のひだを有し、上面にはワイパーヘッドを着脱自在に出し入れ可能な開口部を有し、開口部の中はワイパーヘッドより広い空洞部を有し、クッション性を有することを特徴とするフローリングワイパー用替えクロス。
【考案の詳細な説明】
【技術分野】
【０００１】  この考案は、住宅のフローリングなどの清掃に用いるフローリングワイパーに着脱自在に付けられる替えクロスに関するものである。
【背景技術】
【０００２】  近年、住宅の床には、フローリングが多く採用されている。フローリングの清掃には、一般にフローリングワイパーが用いられている。清掃の際は、長方形の板状のワイパーヘッドに不織布からなる払拭シートを下面から上面に向けて巻き上げ、上面に設けられた星形などのスリット状のストッパーによって固定し装着使用する。【０００３】  従来の不織布からなる払拭シートには、特許文献１のものが知られている。【０００４】  不織布からなる払拭シートには、乾式と、湿式がある。
乾式には、ポリエステルやポリプロピレンなどの合成樹脂を主要材料としている。
湿式には、レーヨン・ポリエステルの混合体に超極細アクリル繊維を加えたのを主要材料としている。【０００５】  不織布からなる払拭シートは、使い捨てを前提としており、狭い範囲の埃、油汚れ、髪の毛、食べこぼし等を取り除くには瞬時に払拭することができ、簡便で多用されている。
【先行技術文献】
【特許文献】
【０００６】
【特許文献１】登録実用新案第３０６６７１７号公報
【特許文献２】登録実用新案第３１４０４８３号公報
【考案の概要】
【考案が解決しようとする課題】
【０００７】  使い捨てを前提とした不織布からなる払拭シートは狭い範囲での汚れを払拭するにおいては、有効であり便利である。その反面、一般の住宅において、掃除する範囲が広くなると、大量の不織布からなる払拭シートを必要とし費用もかさみ、掃除するには不経済であった。【０００８】  不織布からなる払拭シートはワイパーヘッドの硬さに比べ、十分なクッション性がないことや、ワイパーヘッド全体を包む形状になっていない為、掃除の途中家具や壁等に傷をつけてしまうことがあった。又、床との摩擦によって、ワイパーヘッドからめくれることや外れることがあった。【０００９】  不織布からなる払拭シートは、ワイパーヘッドの側面全体を巻き付けることができない一枚の四角い厚みのない平面的な薄い形状であるので部屋の隅の凹凸部分までは届かない為、部屋の隅の埃等は吸着せず掃除が不十分であった。【００１０】  この考案は、床との摩擦によってワイパーヘッドから外れることがなく、部屋の隅の凹凸部分まで届き、洗って繰り返し使うことのできるフローリングワイパー用替えクロスを提供することを目的とする。
【課題を解決するための手段】
【００１１】  この考案は、ワイパーヘッドの形状より一回り大きい形状を有し、一枚のパイル地からカエル折りのように折り重ねて形成することにより、外周の長辺方向に２段のひだと、外周の短辺方向に４段のひだを有し、最上面にはワイパーヘッドを着脱自在に出し入れ可能な開口部を有し、開口部の中はワイパーヘッドより広い空洞部を有し、クッション性を有する構成をもって前記課題を解決する手段としている。
【考案の効果】
【００１２】  この考案は、一枚のパイル地からカエル折りのように折り重ねて形成しており、払拭する面が三層構造を有するため、フローリングワイパー用替えクロスの最下面の底が擦れて破損した場合でも、二面、三面と使用可能であり、長期間にわたり繰り返し使える。【００１３】  フローリングワイパー用替えクロスが、一枚のパイル地を用いていることからクッション性を有し、ワイパーヘッド全体を包み込む形状を有することにより、利用者は、壁や家具などに傷をつける心配がなく安心して使用できる。又、ワイパーヘッドから替えクロスが外れることを防止できる。【００１４】  外周縁には、２段のひだと４段のひだを有する形状により、部屋の隅の凹凸部分に、ひだがしっかり届き壁や家具などに傷をつける心配がなく安心して使用できる、部屋の埃、油汚れ、食べこぼし、髪の毛等を簡単に払拭できる。
【図面の簡単な説明】
【００１５】
【図１】替えクロスを装着したフローリングワイパーを示す斜視図
【図２】側面から見たときの一枚のパイル地からカエル折りのように折り重ねて形成する工程図
【図３】完成途中の替えクロスの平面図
【図４】替えクロスの平面図
【図５】替えクロスの側面図
【図６】替えクロスの断面斜視図
【考案を実施するための形態】
【００１６】  図１は、フローリングワイパー２に替えクロス１を装着した状態の斜視図である。フローリングワイパー２は、棒状のロッド２ａと、その一部に揺動可能に取り付けられた長方形の板状のワイパーヘッド２ｂを有している。替えクロス１は、ワイパーヘッド２ｂより一回り大きい長方形で、最上面中央に長手方行にまっすぐのスリットを有し、図６に示すようにその内面が空洞部ｉを有する。
【００１７】  図２を用いて一枚のパイル地からカエル折りのよりに折り重ねて形成する工程を（１）〜（４）において説明する。
【００１８】（１）に示すように、一枚のパイル地の長手方向中央を▲Ａ▼とし左右に（Ｄ）〜Ａ）（Ａ′〜Ｄ′）の８つの領域に分ける。
【００１９】（２）に示すように、Ａ面とＡ′面を最下面に定め、Ｂ面を中央▲Ａ▼に向けてＡ面に折り重ね、Ｂ′面を中央▲Ａ▼に向けてＡ′面に折り重ねる。
【００２０】（３）に示すように、Ｂ面の外側に向けてＣ面を折り重ね、Ｂ′面の外側に向けてＣ′面を折り重ね、さらにＤ面を中央▲Ａ▼に向けてＣ面に折り重ね、Ｄ′面を中央▲Ａ▼に向けてＣ′面に折り重ねる。
【００２１】（４）に示した状態が一枚のパイル地からカエル折りのように折り重ねて形成した状態である。
【００２２】  図３は、完成途中の替えクロスの断面図であり、図２（２）の後、Ｂ面とＣ面の境界線とＢ′面とＣ′面の境界線が接触する部分である中心の縫い部ａを縫い付ける
【００２３】  図４に示すように、外周から２ｃｍ程内側に沿って長辺の縫い部ｆ、短辺の縫い部ｇを縫い付ける。これにより、図６に示すように最上面１４（Ｄ、Ｄ′）〜最下面１１（Ａ、Ａ′）まで全体が一体化され、最上面１４（Ｄ、Ｄ′）で合わさる端辺ｂと端辺ｃの間に開口部ｈができ開口部ｈの中に図５に示すように空洞ｉができる。又、替えクロスの長辺に２段のひだｄと短辺のひだには４段のひだｅができる。
【００２４】  上記により完成した替えクロスは、払拭部の最下面１１（Ａ、Ａ′）、その上に第二面１２（Ｂ、Ｂ′）と第三面１３（Ｃ、Ｃ′）を備え、最上面１４（Ｄ、Ｄ′）にワイパーヘッドを挿入する開口部ｈとその中がワイパーヘッドより少し広い空洞部ｉを有し、外周の長辺に２段のひだｄと短辺に４段のひだｅを有する形状を全体の構造とする。
【００２５】（使い方）
替えクロス最上面の開口部よりワイパーヘッドを挿入し装着する。ワイパーヘッドに星形などのスリット状ストッパーがある場合はその部分に替えクロスをさしこむことで更に安定し外れることがない。
【００２６】  替えクロスの外周に有している長辺の２段のひだと短辺の４段のひだを隅に当てると凹凸部に入り込み最下面及び２段のひだ、４段のひだで部屋の隅の埃、油汚れ、食べこぼし、髪の毛などを払拭することができる
【００２７】  一枚のパイル地から形成した替えクロスであるため、手洗いの洗濯が楽に行える。埃を先にブラシで払いその後に洗剤で手洗いしたほうが更に良い。又、替えクロスが多量に必要とされる事業所などにおいては、洗濯機を使っても他の雑巾等と絡まることがない。
【００２８】  払拭する面が三層構造を有することで、最下面の払拭する面が擦り切れても第二面、第三面と使用することが可能である。替えクロスとして機能しなくなった場合１０ｃｍほどに裁断すると機械等の油汚れ、アルミサッシュ戸の深い溝などの汚れを取るウエスとしてリサイクルできる。
【符号の説明】
【００２９】  １．  替えクロス
２．  フローリングワイパー
２ａ．棒状のロット
２ｂ．ワイパーヘッド
１１．最下面（Ａ、Ａ′）
１２．第二面（Ｂ、Ｂ′）
１３．第三面（Ｃ、Ｃ′）
１４．最上面（Ｄ、Ｄ′）
ａ．中心の縫い部
ｂ．一枚のパイル地の端辺
ｃ．一枚のパイル地の端辺
ｄ．２段のひだ
ｅ．４段のひだ
ｆ．長辺の縫い部
ｇ．短辺の縫い部
ｈ．開口部
ｉ．空洞部
【図１】
0003216741.tif 000003
【図２】
0003216741.tif 000004
【図３】
0003216741.tif 000005
【図４】
0003216741.tif 000006
【図５】
0003216741.tif 000007
【図６】
0003216741.tif 000008